(57)【要約】【課題】  照度の低い環境で操作するときにおいても使用者各人に対する操作性を向上した遠隔操作装置を提供する。【解決手段】  被制御対象Ｌに制御信号を送出する信号送出部５と、信号送出部５に制御信号の送出を指示する複数の操作部３と、周囲の照度を検出する照度検出部６と、前記複数の操作部３の一部又は全部にそれぞれ配された光源４と、照度検出部の検出した照度が所定の値よりも低いときに前記光源４を点灯させる点灯制御部１ｅとを有する遠隔操作装置ＲＣにおいて、操作履歴情報を記憶する記憶部２と、該操作履歴情報における操作部３の使用頻度に基づいて点灯させる光源４を決定する点灯状態決定部１ｄとを設けている。【選択図】図３
2006121626.tif 000002
【特許請求の範囲】
【請求項１】
被制御対象に制御信号を送出する信号送出部と、信号送出部に制御信号の送出を指示する複数の操作部と、周囲の照度を検出する照度検出部と、前記複数の操作部の一部又は全部にそれぞれ配された光源と、照度検出部の検出した照度が所定の値よりも低いときに前記光源を点灯させる点灯制御部とを有する遠隔操作装置において、操作履歴情報を記憶する記憶部と、該操作履歴情報における操作部の使用頻度に基づいて点灯させる光源を決定する点灯状態決定部とを設けたことを特徴とする遠隔操作装置。
【請求項２】
前記操作履歴情報は、操作された操作部と操作時の周囲の照度情報とを対応づけた情報を含むことを特徴とする請求項１記載の遠隔操作装置。
【発明の詳細な説明】
【技術分野】
【０００１】
本発明は、離れた場所にある被制御装置を操作する遠隔操作装置に関するものである。
【背景技術】
【０００２】
従来から装置を離れた場所で操作するために遠隔操作装置が用いられている。遠隔操作装置は、使用者により操作部が操作されると、操作された操作部に対応した制御信号を被制御装置に送出するものであり、被制御装置は、送出された制御信号により動作が制御される。このように、遠隔操作装置は、離れた場所で装置を制御することができるので有用であるが、この遠隔操作装置を、照度が低い夜間などに暗い場所で使おうとすると、操作部が見にくく操作を手探りで行うなど、操作性が悪くなる。
【０００３】
特許文献１には、スタンバイ状態で間欠的に点灯する発光部を操作部に用いる照明制御用リモートコントロール送信器（遠隔操作装置）が開示されている。
【特許文献１】特開平３−２０９９４号公報
【発明の開示】
【発明が解決しようとする課題】
【０００４】
特許文献１に開示された技術では、暗い場所にいる場合に特定の操作部を点灯させるので、使用者が遠隔操作装置を容易に見つけることができ、例えば照明をつけるなどの特定の操作をしやすくなるので有用である。
【０００５】
しかしながら、使用者が暗い場所で行う操作は、一般的に１つではなく、使用者それぞれによって使用する機能は異なるので、特許文献１に開示された技術は、各使用者に対応した操作性の良い遠隔操作装置を提供するものではなかった。
【０００６】
本願発明は、上述のような課題を考慮してなされたものであり、その目的とするところは、照度の低い環境で操作するときにおいても使用者各人に対する操作性を向上した遠隔操作装置を提供することにある。
【課題を解決するための手段】
【０００７】
上述の課題を解決するため、請求項１に係る発明は、被制御対象に制御信号を送出する信号送出部と、信号送出部に制御信号の送出を指示する複数の操作部と、周囲の照度を検出する照度検出部と、前記複数の操作部の一部又は全部にそれぞれ配された光源と、照度検出部の検出した照度が所定の値よりも低いときに前記光源を点灯させる点灯制御部とを有する遠隔操作装置において、操作履歴情報を記憶する記憶部と、該操作履歴情報における操作部の使用頻度に基づいて点灯させる光源を決定する点灯状態決定部とを設けている。
【０００８】
したがって、点灯状態決定部は、遠隔操作装置が暗い場所に存在するときに、使用頻度の高い操作部に設けられた光源を点灯できるので、使用者がよく用いる機能を押しやすくなる。そのため、照度の低い環境で操作するときにおいても使用者各人に対する操作性を向上した遠隔操作装置を提供できる。
【０００９】
請求項２に係る発明は、請求項１記載の遠隔操作装置において、前記操作履歴情報は、操作された操作部と操作時の周囲の照度情報とを対応づけた情報を含むようにしている。
【００１０】
したがって、点灯状態決定部は、照度の低い環境下において特に使用頻度の高い操作部に設けられた光源を点灯できるので、照度の低い環境でさらに操作性を向上した遠隔操作装置を提供することができる。
【発明の効果】
【００１１】
本願発明によれば、使用頻度の高い操作部に設けられた光源を周囲の照度が低い環境下で点灯させることができるので、照度の低い環境においても使用者各人に対する操作性を向上した遠隔操作装置を提供できる。
【発明を実施するための最良の形態】
【００１２】
次に、本願発明の実施形態について、図面を用いて説明する。ここでは、被制御装置を照明装置Ｌとし、照明装置Ｌ用の遠隔操作装置ＲＣの例について説明を行う。この遠隔操作装置ＲＣは、例えば図１に示すような状態で使用される。図１では、室内の天井に受光部Ｒを有する照明装置Ｌが設置され、照明装置ＬとケーブルＣで接続されたスイッチＳＷが壁に埋め込まれて設けられている。そして、スイッチＳＷとは反対側には、窓Ｗが設けられている。使用者Ｈは、遠隔操作装置ＲＣを操作することにより、制御信号を含む赤外線信号Ｉｎｆを送出し、机Ｔの前に座った状態で被制御装置である照明装置Ｌを制御できる。
【００１３】
この遠隔操作装置ＲＣは、図２に示すような外観となっている。すなわち、樹脂で形成された中空の直方体状のケース１０に、回路を実装した制御基板１１が収納され、電池９により回路が給電されている。ケース１０の短手側の側面には、制御信号送出部５が設けられており、ケース１０の上面には、操作部である操作ボタン３、照度検出部６、人体検知部７が、それぞれのために設けられた貫通孔を通るように設けられている。そして、操作ボタン３内に設けられた光源４と、照度検出部６と、人体検知部７とは、制御基板１１に電気的に接続された状態で設けられている。
【００１４】
また、この遠隔操作装置ＲＣは、図３に示すように、処理部１と、記憶部２と、操作ボタン３と、光源４と、制御信号送出部５と、照度検出部６と、人体検知部７と、音源８とを機能的に有している。
【００１５】
操作ボタン３は、信号送出部に制御信号の送出を指示するものであり、透明な樹脂により円板状に形成されている。そして、複数の操作ボタン３のうち、操作ボタン３ａ，３ｂは、内部に光源４ａ，４ｂを有している。そのため、光源４ａ，４ｂが点灯すると、操作ボタン３ａ，３ｂの全面が光るようになっている。そして、この操作ボタン３は、制御基板１１上のスイッチ（図示せず）と接続されており、押下することにより、このスイッチの状態が変化するようになっている。ここで、操作ボタン３ａは、他の操作ボタン３ｂ，３ｃよりも大きな面積を有しており、照明装置Ｌの主要灯の点灯機能が割り当てられている。また、操作ボタン３ｂは、照明装置Ｌの保安球の点灯機能が割り当てられており、操作ボタン３ｃには、消灯機能が割り当てられている。ここで、操作ボタン３ｃの内部には光源４を有していない。操作ボタン３ｃが押されるときには照明が点灯しており、明るい状態で操作ができるためである。また、光源４は、操作ボタン３内に配された発光ダイオードであり、後述の点灯制御部１ｅにより点灯状態が制御される。
【００１６】
制御信号送出部５は、照明装置Ｌに制御信号を含む赤外線信号Ｉｎｆ送出する赤外線信号送出器であり、制御信号が入力されると、変調によりその制御信号が赤外線信号Ｉｎｆに含まれるようにし、この赤外線信号Ｉｎｆを図１に示すように空間に向けて送出する。照度検出部６は、周囲の照度を検出する照度センサであり、照度要求信号を入力されたときに照度を計測して数値として取得し、検出した照度値を出力する。また、人体検知部７は、焦電型の熱線センサを有して構成され、人体検知要求信号が入力されると人間が放射する遠赤外線を検出して人体を検知し、人体検知信号を出力する。音源８は、入力信号に応じてアラーム音などの報知音の鳴動及び不鳴動を制御するものである。
【００１７】
記憶部２は、揮発性のメモリと、不揮発性のメモリとを有しており、機能的に、操作履歴情報記憶部２ａと、状態情報記憶部２ｂと、動作情報記憶部２ｃとを有している。ここで、揮発性のメモリは、後述の処理部１が動作する際のワーキングメモリとしても動作する。
【００１８】
操作履歴情報記憶部２ａは、電池９により記憶が維持される揮発性メモリ上に操作履歴情報を記憶するものである。操作履歴情報は、図８に示すように、操作された操作ボタン３の種類と、そのときの周囲の照度とが対応づけられ、操作された順に記憶されている。
【００１９】
状態情報記憶部２ｂは、同じく揮発性メモリ上に状態情報を記憶するものである。状態情報には、後述の報知動作決定部１ｂの用いる報知状態フラグとカウンタ、後述の照度変化検出部１ｇの用いる前回取得した照度値などが記憶される。
【００２０】
動作情報記憶部２ｃは、不揮発性メモリ上に構成されるものであり、遠隔操作装置ＲＣの動作についてのパラメータを記憶する。このパラメータとしては、照度が大きく変化したと判断する閾値となる照度差（以後、照度変動閾値と称する）と、明るい状態と判断する閾値となる照度値（以後、明照度閾値と称する）と、暗い状態と判断する閾値となる照度値（以後、暗照度閾値と称する）と、操作ボタン３のそれぞれに対応した制御信号を収めた制御信号情報などが含まれている。
【００２１】
処理部１は、ＣＰＵ（Central Processing Unit）を有して構成されており、記憶部２の不揮発性メモリに記憶されているプログラム（図示せず）に基づいて動作し、遠隔操作装置ＲＣの各部を制御して各種の機能を実現する。この処理部１は、機能的に、制御信号生成部１ａと、操作履歴更新部１ｂと、報知動作決定部１ｃと、点灯状態決定部１ｄと、点灯制御部１ｅと、照度変化検出部１ｇとを有して構成されている。
【００２２】
制御信号生成部１ａは、操作ボタン３が押下されたことを示す入力信号により、操作ボタン３の種別を取得し、操作ボタン３の種類に応じた照明装置Ｌの制御信号を動作情報記憶部２ｃから取得し生成する。そして、制御信号生成部１ａは、生成された制御信号を制御信号送出部５に入力する。
【００２３】
操作履歴更新部１ｂは、操作ボタン３からの入力信号と、照度検出部６から入力される照度信号とに基づいて、操作された操作ボタン３の種類と、そのときの周囲の照度とを対応づけた情報を生成し、生成された情報を操作履歴情報記憶部２ａに記憶された操作履歴情報に追記する。このとき、操作履歴情報記憶部２ａの容量がオーバーする場合には、記憶されている中で最も古い情報を削除してから、ここで新たに生成された情報を追記する。このことは操作履歴情報内の書き込み位置をポインタ変数として記憶することにより実現できる。
【００２４】
照度変化検出部１ｇは、照度要求信号を照度検出部６に入力し、照度値を取得する。そして、新たに取得した照度と状態情報記憶部２ｂに記憶されている前回取得した照度の差の絶対値を求め、この絶対値が動作情報記憶部２ｃに記憶された照度変動閾値と比較して大きければ、照度が大きく変化したものと判断して報知動作決定部１ｃに報知信号を入力する。そして、新たに取得した照度値を状態情報の前回計測した照度値に上書きして記憶する。
【００２５】
報知動作決定部１ｃは、状態情報記憶部２ｂに記憶された状態情報に含まれる報知状態フラグとカウンタ確認して、報知音鳴動もしくは操作ボタン３の報知点灯（以後、これらをまとめて報知動作と称する）していると判断する、カウンタを減少させて、カウンタが０以下になると報知動作を終了させる。一方、報知動作をしていないときに報知信号が入力されると、照度検出部６に照度要求信号を入力し、周囲の照度値を取得する。そして、取得した照度値が明照度閾値以下の場合、状態情報記憶部２ｂに記憶されている報知状態フラグを報知点灯を示す値（例えば、１）にセットし報知点灯信号を点灯制御部１ｅに入力する、そうでなければ、報知状態フラグを報知音鳴動を示す値（例えば、２）にセットし、音源８を制御して報知音の鳴動を開始させる。そして、それぞれの報知動作の長さを指定するため、状態情報記憶部２ｂに記憶された状態情報のカウンタに値を設定し記憶させる。ここで、報知動作の終了は、報知状態フラグが１のときには報知点灯解除信号を点灯制御部１ｅに入力し、報知状態フラグが２のときには音源８を不鳴動状態に制御した後、報知状態フラグを０にクリアすることにより行う。
【００２６】
点灯状態決定部１ｄは、照度値が暗照度閾値以下で、人体検知部７が人体を検知しているときに、現在の照度値に基づいて照度値の範囲を設定し、操作履歴情報記憶部２ａの操作履歴情報を検索し、該当する照度値範囲内の操作履歴を抽出する。そして、操作履歴が存在すればその中で操作割合が動作情報記憶部２ｃに記憶された所定の値以上であれば、該当する操作ボタン３を点灯すべき操作ボタン３として抽出し、操作履歴が存在しなければ点灯可能なすべての操作ボタン３を点灯すべき操作ボタン３として抽出し、抽出された点灯すべき操作ボタン３に対応する光源４の情報及び点灯信号を点灯制御部１ｅに入力するとともに、抽出した操作ボタン３の情報を状態情報記憶部２ｂに記憶させる。一方、既に点灯できる操作ボタン３の一部又は全部が点灯中で、照度値が暗照度閾値以上もしくは人体検知部７が人体を検知していないときには、点灯制御部１ｅに現在点灯中の光源４の情報及び消灯信号を入力する。つまり、この点灯状態決定部１ｄは、操作履歴情報における操作ボタン３の使用頻度に基づいて点灯させる光源４を決定するのである。
【００２７】
点灯制御部１ｅは、光源４の点灯及び消灯を制御するものであり、報知点灯信号が入力されたときには光源４のすべてを点灯させ、報知点灯解除信号が入力されると、光源４のすべてを消灯する。また、光源４の情報と点灯信号が入力されると、入力された光源４の情報で定められた光源４を点灯させる。一方、光源４の情報と消灯信号が入力されると、入力された光源４の情報で定められた光源４を消灯させる。
【００２８】
次に本実施形態の動作について説明する。遠隔操作装置ＲＣに電源である電池９をはめ込むと、遠隔操作装置ＲＣは、図４に示すような動作を開始する。つまり、操作部点消灯処理（Ｓ１）を行い、次に操作処理（Ｓ２）、その後に報知処理（Ｓ３）を行い、そして、再び操作部点消灯処理（Ｓ１）を巡るループ処理を行う。
【００２９】
次に、操作部点消灯処理（Ｓ１）について、図５を用いて詳しく説明する。まず、点灯状態決定部１ｄは、照度検出部６に照度要求信号を入力し、照度検出部６から周囲の照度値を取得する。そして、取得した照度値が暗照度閾値以下かどうかを判断する（Ｓ１１）。そして、判断した結果、暗照度閾値以下であれば（Ｙｅｓ）、人体検知部７に人体検知要求信号を入力する。そして、人体検知部７から人体検知信号を取得し、人体検知されたかどうかを判断する（Ｓ１２）。ここで、人体検知されていると（Ｙｅｓ）、処理Ｓ１１で取得した照度値を中心として所定の幅を持たせた照度範囲の操作履歴を、操作履歴情報記憶部２ａ内の操作履歴情報から抽出する（Ｓ１３）。ここで、照度範囲の所定幅は、遠隔操作装置ＲＣの設計時において所定幅に適度な回数の操作履歴が抽出されるよう調節した値を固定値として与えている。そして、抽出した結果、該当する操作履歴が存在するかどうかを判断する（Ｓ１４）。ここで、操作履歴が存在するとき（Ｙｅｓ）には、その中で所定の割合を以上を占める操作ボタン３を点灯すべき操作ボタン３として抽出する（Ｓ１５）。そして、点灯状態決定部１ｄは、抽出された操作ボタン３に対応する光源４の情報及び点灯信号を点灯制御部１ｅに入力する（Ｓ１６）。すると、点灯制御部１ｅは、入力された光源４の情報に基づいて、該当する光源４を点灯させる。
【００３０】
例えば、ここで暗照度閾値が５０ｌｘ、現在の照度が３０ｌｘ、照度範囲を決定する上述の所定幅が１０ｌｘ、上述の所定の割合が４９％とし、操作履歴情報が図８のような状態であるとき、処理Ｓ１３においてフィルタリングする照度範囲は、２０ｌｘ〜４０ｌｘとなるので、図８中のＶ１〜Ｖ３までが点灯させる操作ボタンを定めるために用いるデータとなる。ここで、Ｖ１〜Ｖ３までのデータを見ると、保安灯機能を有する操作ボタン３ｂが６６％を占めており、上述の所定の割合よりも大きいから、処理Ｓ１５において、操作ボタン３ｂ内の光源４ｂが点灯することになる。
【００３１】
一方、処理Ｓ１４において、操作履歴が存在しないとき（Ｎｏ）には、点灯可能なすべての操作ボタン３を点灯すべきすべての操作ボタン３として抽出する（Ｓ１７）。そして、点灯状態決定部１ｄは、抽出された操作ボタン３に対応する光源４の情報及び点灯信号を点灯制御部１ｅに入力する（Ｓ１６）。すると、点灯制御部１ｅは、すべての光源４を点灯させる。
【００３２】
また、処理Ｓ１１において照度値が暗照度閾値以下ではない（Ｎｏ）と判断されるか、処理Ｓ１２において人体検知がされていない（Ｎｏ）と判断されると、状態情報から点灯状態決定部１ｄがすでに抽出した操作ボタン３で、その中の光源４が点灯中のものがあるかどうかについて判断する（Ｓ１８）。ここで、すでに抽出した操作ボタン３で、その中の光源４が点灯中のものがあるとき（Ｙｅｓ）には、この点灯中の光源４を消灯して終了する。一方、処理Ｓ１８において、すでに抽出した操作ボタン３で、その中の光源４が点灯中のものがないときには、何もせずに終了する。
【００３３】
次に、操作処理（Ｓ２）について、図６を用いて詳しく説明する。まず、制御信号生成部１ａは、操作ボタン３が押下されたかどうかを判断する（Ｓ２１）。ここで、遠隔操作装置ＲＣの使用者Ｈが操作ボタン３（ここでは、操作ボタン３ｂが操作されたとする。）を押下する操作を行うと、操作ボタン３ｂから制御信号生成部１ａに操作ボタン３ｂを示す信号が入力され、制御信号生成部１ａは、操作ボタン３ｂが押下されたと判断する（Ｙｅｓ）。すると、制御信号生成部１ａは、動作情報記憶部２ｃに記憶されている制御信号情報から押下された操作ボタン３ｂに対応する制御信号を取得し、操作履歴更新部１ｂに入力するとともに、押下された操作ボタン３ｂの情報を操作履歴更新部１ｂに入力する。すると、制御信号送出部５は、赤外線信号Ｉｎｆに制御信号を収納する変調処理を行い、外部に赤外線信号Ｉｎｆを送出する（Ｓ２２）。この赤外線信号Ｉｎｆを被制御装置である照明装置Ｌの受光部Ｒが受信して、制御信号を取り出し、照明装置Ｌは、操作ボタン３ｂに対応する機能を実現するように制御される（ここでは保安灯の点灯するように制御される）。一方、操作履歴更新部１ｂは、制御信号生成部１ａから操作ボタン３ｂの情報を入力されると、照度検出部６に照度要求信号を入力し、照度検出部６から照度値を取得する。そして、操作された操作ボタン３の種類（ここでは、操作ボタン３ｂ）と得られた照度値とを対応づけた情報を生成し、生成された情報を操作履歴情報記憶部２ａに記憶された操作履歴情報に追記する。このとき、操作履歴情報記憶部２ａの容量がオーバーする場合には、最も古い情報を削除してから、ここで新たに生成された情報を追記して終了する（Ｓ２３）。一方、処理Ｓ２１で、遠隔操作装置ＲＣの使用者Ｈが操作ボタン３を押下していない（Ｎｏ）と何もせずに終了する。
【００３４】
次に報知処理（Ｓ３）について、図７を用いて詳しく説明する。報知動作決定部１ｃは、状態情報記憶部２ｂの状態情報に含まれる報知状態フラグを確認して報知動作中かどうかを判断する（Ｓ３１）。ここで、報知状態フラグが０であれば報知動作中でなく、１で有れば操作ボタン３を全点灯する報知点灯であり、２であれば報知音鳴動の状態である。そして、報知動作決定部１ｃは、判断をした結果、報知動作中であれば（Ｙｅｓ）、状態情報記憶部２ｃに記憶されている報知動作のカウンタの値を１減少させる（Ｓ３２）。そして、このカウンタの値が０以下となるかどうかを判断する（Ｓ３３）。ここで、カウンタの値が０以下であれば（Ｙｅｓ）、報知動作決定部１ｃは、報知点灯のときには、報知点灯解除信号を点灯制御部に入力し、報知音鳴動のときには、音源８に鳴動停止信号を入力する。その結果、報知点灯のときには、点灯制御部１ｅは、操作ボタン３内の光源４を全消灯させる。また、報知音鳴動のときには、音源８は、鳴動停止する。一方、処理Ｓ３３で、カウンタが０以下でないならば、そのまま終了する。
【００３５】
また、処理Ｓ３１において、報知動作中でない（Ｎｏ）ときには、報知動作決定部１ｃは、照度検出部６に照度要求信号を入力し、照度検出部６から照度値を取得する。そして、報知動作決定部１ｃは、新たに取得した照度値と状態情報記憶部２ｂに記憶された状態情報の前回計測時の照度値との差の絶対値を取り、動作情報記憶部２ｃに記憶された照度変動閾値よりも大きいかどうかを判断する（Ｓ３５）。そして、判断した結果、照度変動閾値よりも大きいとき（Ｙｅｓ）には、報知動作決定部１ｃは、新たに得られた照度値が暗照度閾値以下かどうかを判断する（Ｓ３６）。判断の結果、新たに得られた照度値が暗照度閾値以下であるとき（Ｙｅｓ）には、報知動作決定部１ｃは、点灯制御部１ｅに報知点灯信号を入力し、状態情報記憶部２ｂの状態情報の報知状態フラグに１を入力する。すると、点灯制御部１ｅは、報知点灯信号が入力されるので、光源４を全点灯する（Ｓ３７）。そして、報知動作決定部１ｃは、報知点灯の時間を設定するため、状態情報記憶部２ｂに記憶された状態情報のカウンタの値を設定し（Ｓ３８）、処理を終了する。
【００３６】
一方、処理Ｓ３６において、新たに得られた照度値が暗照度閾値よりも大きければ（Ｎｏ）、報知動作決定部１ｃは、音源８に鳴動開始信号を入力し、状態情報記憶部２ｂの状態情報の報知状態フラグに２を入力する。すると、音源８は、鳴動を開始する。
【００３７】
また、処理Ｓ３５において、新たに取得した照度値と前回計測時の照度値との差の絶対値が照度変動閾値よりも小さいときには、何もせずに終了する。
【００３８】
したがって、本実施形態によれば、点灯状態決定部１ｄは、遠隔操作装置ＲＣが照度が低く暗い場所に存在するときに、使用頻度の高い操作ボタン３に設けられた光源４を点灯するので、使用者Ｈがよく用いる機能を持つ操作ボタン３を操作しやすくなる。そのため、照度の低い環境で操作するときにおいても使用者Ｈ各人に対する操作性を向上した遠隔操作装置ＲＣを提供できる。
【００３９】
また、遠隔操作装置ＲＣを床に置くなどして外出し、夕刻に薄暗い部屋に戻り、スイッチＳＷで照明装置Ｌを点灯したときに、周囲の照度の変化が大きく、周囲が明るくなるので図７の処理Ｓ３９において報知音の鳴動が開始するので、遠隔操作装置ＲＣを見つけやすくなる。逆に、報知音では場所がわかりにくいときにも、スイッチＳＷにより照明装置Ｌを点灯している状態から消灯すると、図７の処理Ｓ３７により操作ボタン３に設けられている光源４が全点灯するので、この明かりにより探すことができる。
【００４０】
さらにまた、人体検知センサが焦電型の赤外線センサを有しているので、使用者Ｈが眠っている場合などのように動いていないときには、人体検知されないので、処理Ｓ１９において操作ボタン３内の光源４が消灯され、電池９の消耗を抑えることができる。
【００４１】
なお、実施形態の説明において、操作履歴情報記憶部２ａは、操作ボタン３とそれが操作されたときの照度値とを対応づけて記憶するものについてのみ説明したが、照度を限定しなくても頻繁に操作する操作ボタン３が点灯するだけでも一定の効果は奏するので、必ずしも操作ボタン３とそれが操作されたときの照度値とを対応づけて記憶する必要はない。
【００４２】
また、この実施形態においては、被制御装置を照明装置Ｌとして説明したが、複数の操作ボタン３の存在するものであれば、本願発明を適用することができる。例えば、被制御装置として、エアコン装置、テレビ受信機、ビデオ装置などがあげられる。
【００４３】
さらにまた、実施形態において、特定の操作ボタンを点灯させることにより他のボタンと区別するようにして使用者Ｈが操作する可能性の高いものを示したが、このような点灯パターンに限るものではない。例えば、点灯パターンとして、他の操作ボタンを消灯したうえで特定の操作ボタンを点滅させることや、他の操作ボタンを点灯した上で特定の操作ボタンを点滅させること、全操作ボタンを点灯させた上で特定の操作ボタンの色を変えること、さらにこれらの組合せにすることができる。
【００４４】
また、実施形態において、操作ボタン３の一部に光源４を有するものを説明したが、もちろんすべての操作ボタン３に光源４を有するものであっても良い。
【図面の簡単な説明】
【００４５】
【図１】遠隔操作装置の使用状態の一例を示す図である。
【図２】実施形態の遠隔操作装置を示すものであり、（ａ）は上面図、（ｂ）は中央断面図である。
【図３】実施形態の遠隔操作装置を示す機能ブロック図である。
【図４】実施形態の動作を示す全体フローチャートである。
【図５】実施形態の操作部の点消灯処理を示すフローチャートである。
【図６】実施形態の操作処理を示すフローチャートである。
【図７】実施形態の報知処理を示すフローチャートである。
【図８】操作履歴記憶部に記憶された操作履歴情報の一例を示す図である。
【符号の説明】
【００４６】
１    処理部
１ａ  制御信号生成部
１ｂ  操作履歴更新部
１ｃ  報知動作決定部
１ｄ  点灯状態決定部
１ｅ  点灯制御部
１ｇ  照明変化検出部
２    記憶部
３    操作ボタン（操作部）
４    光源
５    制御信号送出部（信号送出部）
６    照度検出部
７    人体検知部
８    音源
９    電池
１０  ケース
１１  制御基板
ＲＣ  遠隔操作装置
ＳＷ  スイッチ
Ｈ    使用者
Ｌ    照明装置（被制御装置）
Ｉｎｆ  赤外線信号
【図１】
2006121626.tif 000003
【図２】
2006121626.tif 000004
【図３】
2006121626.tif 000005
【図４】
2006121626.tif 000006
【図５】
2006121626.tif 000007
【図６】
2006121626.tif 000008
【図７】
2006121626.tif 000009
【図８】
2006121626.tif 000010